(57)【要約】【課題】簡単な工法で作業者の墜落事故を防止し、安価に点検が実施可能な太陽電池モジュール固定装置を得ること。【解決手段】太陽電池モジュール固定装置は、棟１ａから軒１ｂに向けた下り傾斜の屋根面１に取り付けられて太陽電池モジュール４を支持する支持金具３と、支持金具３の棟１ａ側となる端部に設けられてロープ８の取付けを可能とするロープ取付け部６と、備える。【選択図】図１
2019105134.tif 000002
【特許請求の範囲】
【請求項１】
棟から軒に向けた下り傾斜の屋根面に取り付けられて太陽電池モジュールを支持する支持金具と、
前記支持金具の棟側となる端部に設けられてロープの取付けを可能とするロープ取付け部と、を備えることを特徴とする太陽電池モジュール固定装置。
【請求項２】
前記ロープ取付け部は、前記支持金具の側面に取り付けられた板部材であって、
前記板部材には、前記ロープを通過させる孔が形成されていることを特徴とする請求項１に記載の太陽電池モジュール固定装置。
【請求項３】
前記ロープ取付け部は、前記支持金具のうち前記屋根面に対向する底面に固定された底面固定部と、前記底面固定部から延出されて前記屋根面から離れる方向に延びる延出部と、を有して構成され、
前記延出部には、前記ロープを通過させる孔が形成されていることを特徴とする請求項１に記載の太陽電池モジュール固定装置。
【請求項４】
前記延出部に形成された孔と前記支持金具のうち前記太陽電池モジュールを支持する支持面との距離は、前記太陽電池モジュールの受光面と前記支持面との距離よりも長いことを特徴とする請求項３に記載の太陽電池モジュール固定装置。
【請求項５】
前記ロープ取付け部は、前記ロープを通過させる孔が側面部に形成された前記支持金具であることを特徴とする請求項１に記載の太陽電池モジュール固定装置。
【請求項６】
前記支持金具に設けられてねじ孔が形成されたねじ孔部をさらに備え、
前記ロープ取付け部は、前記ねじ孔にねじ込まれる軸部と、前記軸部に一体に形成されて前記ロープを通過させる孔が形成された孔部とを有して構成されることを特徴とする請求項１に記載の太陽電池モジュール固定装置。
【請求項７】
前記ねじ孔部および前記ロープ取付け部によって前記支持金具に固定されて、前記太陽電池モジュールを保持する保持金具をさらに備えることを特徴とする請求項６に記載の太陽電池モジュール固定装置。
【請求項８】
前記孔は、最も棟側に配置された前記太陽電池モジュールよりもさらに棟側に形成されることを特徴とする請求項２から７のいずれか１つに記載の太陽電池モジュール固定装置。
【請求項９】
前記屋根面に取り付けられて前記屋根面の棟から軒に向って並べて配置された複数の屋根取付金具をさらに備え、
前記支持金具は、複数の前記屋根取付金具同士を連結する縦桟であることを特徴とする請求項１から８のいずれか１つに記載の太陽電池モジュール固定装置。
【請求項１０】
前記支持金具は、前記屋根面に取り付けられて前記屋根面の棟から軒に向って並べて配置された複数の屋根取付金具であることを特徴とする請求項１から８のいずれか１つに記載の太陽電池モジュール固定装置。
【請求項１１】
請求項１から１０のいずれか１つに記載された太陽電池モジュール固定装置と、
前記太陽電池モジュール固定装置によって前記屋根面に設置された太陽電池モジュールと、を備えることを特徴とする太陽電池システム。
【請求項１２】
請求項１１に記載された太陽電池システムが有するロープ取付け部に取り付けられたロープまたは前記ロープ取付け部に安全帯を取り付ける工程と、
前記安全帯を用いて前記太陽電池モジュールを点検する工程と、を備えることを特徴とする太陽電池システムの点検方法。
【発明の詳細な説明】
【技術分野】
【０００１】
本発明は、複数の太陽電池モジュールを設置するために用いられる太陽電池モジュール固定装置、複数の太陽電池モジュールと太陽電池モジュール固定装置とを備えてなる太陽電池システム、および太陽電池システムの点検方法に関する。
【背景技術】
【０００２】
太陽電池システムは、一般的に住宅およびビルの屋根または屋上に設置され、特に住宅に設置される場合は、傾斜した屋根面に設置される場合が多い。太陽電池システムでは、太陽電池モジュール固定装置によって太陽電池モジュールが設置面に固定される。傾斜した屋根面に設置された太陽電池システムでは、太陽電池モジュールまたは太陽電池モジュール固定装置の点検を行う場合には、屋根の上で作業を行う必要がある。このため、点検を行う場合は、作業者の墜落といった労働災害の防止のために墜落防止対策が実施されている。
【０００３】
墜落防止対策としては、非特許文献１に、「親綱と安全器の組合せ工法」、「水平親綱と子綱（安全ブロック）の組合せ工法」、「親綱と安全ブロックの組合せ工法」、「地上からの親綱設置先行工法」が示されている。
【先行技術文献】
【非特許文献】
【０００４】
【非特許文献１】公益社団法人  日本保安用品協会、独立行政法人  労働安全衛生総合研究所  屋根・建物からの墜落防止のための検討委員会、「補修工事等における屋根・建物からの墜落防止工法及び関連器具について」、平成２４年３月
【発明の概要】
【発明が解決しようとする課題】
【０００５】
しかしながら、上記非特許文献１に示された墜落防止工法は、親綱の一端を地上等の堅固な建物に連結する、棟に支柱を取り付け支柱間に水平親綱を設置する、または軒先にフック金具を引掛けロープを十字状に設置する、といった処置が必要であり、いずれも、親綱、ロープの設置に時間を要し、且つ点検範囲が限定されたり、地上での監視が必要となったりする場合があった。このため、非特許文献１に示された墜落防止工法を用いる場合は、人件費といった費用によって点検費用が増大していた。
【０００６】
本発明は、上記に鑑みてなされたものであって、簡単な工法で作業者の墜落事故を防止し、安価に点検が実施可能な太陽電池モジュール固定装置を得ることを目的とする。
【課題を解決するための手段】
【０００７】
上述した課題を解決し、目的を達成するために、本発明は、棟から軒に向けた下り傾斜の屋根面に取り付けられて太陽電池モジュールを支持する支持金具と、支持金具の棟側となる端部に設けられてロープの取付けを可能とするロープ取付け部と、を備えることを特徴とする。
【発明の効果】
【０００８】
本発明によれば、簡単な工法で作業者の墜落事故を防止し、安価に点検が実施可能な太陽電池モジュール固定装置を得ることができるという効果を奏する。
【図面の簡単な説明】
【０００９】
【図１】本発明の実施の形態１にかかる太陽電池システムが住宅の屋根面に設置された状態を模式的に示す斜視図
【図２】実施の形態１にかかる太陽電池システムの分解斜視図
【図３】実施の形態１にかかる太陽電池システムの側面図
【図４】図３に示すＡ部分を拡大した図
【図５】実施の形態１における縦桟の斜視図
【図６】実施の形態１におけるロープ取付金具の斜視図
【図７】実施の形態１におけるロープ取付金具にロープを固定した状態を示す図
【図８】本発明の実施の形態２にかかる太陽電池システムの分解斜視図
【図９】実施の形態２にかかる太陽電池システムの側面図
【図１０】実施の形態２におけるロープ取付金具の斜視図
【図１１】本発明の実施の形態３にかかる太陽電池システムの分解斜視図
【図１２】実施の形態３にかかる太陽電池システムの側面図
【図１３】実施の形態３における縦桟の斜視図
【図１４】本発明の実施の形態４にかかる太陽電池システムの側面図
【図１５】実施の形態４における縦桟の棟側部分を拡大した斜視図
【図１６】本発明の実施の形態５にかかる太陽電池システムの側面図
【図１７】実施の形態５における縦桟の棟側部分を拡大した斜視図
【図１８】本発明の実施の形態６にかかる太陽電池システムの分解斜視図
【図１９】実施の形態６にかかる太陽電池システムの側面図
【図２０】実施の形態６における屋根取付金具の斜視図
【発明を実施するための形態】
【００１０】
以下に、本発明の実施の形態にかかる太陽電池モジュール固定装置、太陽電池システムおよび太陽電池システムの点検方法を図面に基づいて詳細に説明する。なお、この実施の形態によりこの発明が限定されるものではない。
【００１１】
実施の形態１．
図１は、本発明の実施の形態１にかかる太陽電池システムが住宅の屋根面に設置された状態を模式的に示す斜視図である。図２は、実施の形態１にかかる太陽電池システムの分解斜視図である。図３は、実施の形態１にかかる太陽電池システムの側面図である。
【００１２】
太陽電池システム１００は、複数の太陽電池モジュール４と、複数の太陽電池モジュール４を住宅１１０の屋根面１に敷き並べて設置する太陽電池モジュール固定装置１０１と、を備える。住宅１１０の屋根面１は、棟１ａから軒１ｂに向けて下り傾斜となる傾斜面となっている。また、屋根面１は、金属横葺き屋根となっている。
【００１３】
太陽電池モジュール４は、方形の平板形状に構成された光発電機能体である太陽電池パネル４０１の外周に、アルミニウム製のフレーム４０２を装着して構成される。太陽電池システム１００において、複数の太陽電池モジュール４が屋根面１の傾斜方向および傾斜方向に垂直な方向に敷き並べて設けられる。太陽電池モジュール４の大きさおよび縦横に並べる数については、屋根面１の大きさに合わせて適宜変更可能である。太陽電池パネル４０１に使用される太陽電池セルは、単結晶シリコン太陽電池、多結晶シリコン太陽電池などのいずれを使用しても良い。また、太陽電池パネル４０１は、透明な表面保護基板上に薄膜系太陽電池を形成したものであっても良い。太陽電池パネル４０１は、方形の平板形態に構成された構造であれば、どのような構成であっても良い。
【００１４】
太陽電池モジュール固定装置１０１は、屋根取付金具２と、縦桟３と、モジュール固定金具５と、ロープ取付金具６とを備える。
【００１５】
屋根取付金具２は、屋根面１の棟１ａから軒１ｂに向って並べて配置されている。なお、以下の説明において、屋根面１の棟１ａから軒１ｂに向かう方向を単に傾斜方向と称する。屋根取付金具２は、傾斜方向と垂直な方向にも並べて配置されている。
【００１６】
図４は、図３に示すＡ部分を拡大した図である。屋根取付金具２には、屋根面１に当接される底面部２０２に木ねじ１０を通すねじ孔２０１が形成されている。屋根取付金具２は、木ねじ１０によって屋根面１に固定されている。屋根取付金具２は、底面部２０２と対向する上面部２０３を有する。上面部２０３は、縦桟３を支持する縦桟支持面２０４を有する。上面部２０３は、側面からボルト１１を通すためのガイドレール２０５を有する。ガイドレール２０５に通されたボルト１１の軸部は、縦桟支持面２０４から太陽電池モジュール４に向けて突出する。
【００１７】
縦桟３は、傾斜方向に沿って延びており、傾斜方向に沿って並べて配置された複数の屋根取付金具２同士を連結させる。図５は、実施の形態１における縦桟３の斜視図である。縦桟３は、縦桟支持面２０４に載置される底面部３０１を有する。底面部３０１には、ボルト１１を通すための長孔３０２が形成されている。縦桟３は、長孔３０２に通されたボルト１１とナット１２とを用いて縦桟支持面２０４に固定される。
【００１８】
傾斜方向に沿って見た場合に、縦桟３には、底面部３０１の側方から太陽電池モジュール４に向けて延びる側面部３０５が設けられている。側面部３０５のうち棟１ａ側となる端部には、側面部３０５を貫通する孔３０６が形成されている。縦桟３は、底面部３０１と対向する上面部３０３を有する。上面部３０３には、傾斜方向に延びるスリット３０３ａが形成されている。上面部３０３の底面部３０１側には、上面部３０３と対向するガイドレール３０４が形成されている。上面部３０３とガイドレール３０４との間には、ナットと一体化されたファスナー１３が通される。
【００１９】
縦桟３の上面部３０３には太陽電池モジュール４が載置される。すなわち、本実施の形態１では、縦桟３が太陽電池モジュール４を支持する支持金具となる。また、縦桟３の上面部３０３が、太陽電池モジュール４を支持する支持面となる。なお、屋根面１が金属横葺き屋根である場合または瓦屋根である場合に、太陽電池モジュール４の固定に縦桟３が使用される場合が多い。
【００２０】
モジュール固定金具５は、縦桟３に設けられたファスナー１３とボルト１４によって縦桟３に固定されることで、太陽電池モジュール４のフレーム４０２に係合する。これにより、太陽電池モジュール４が縦桟３に固定される。なお、モジュール固定金具には、様々な種類のものがあり、太陽電池システム１００に用いられるモジュール固定金具は、図２等に例示したものに限られない。
【００２１】
上述した屋根取付金具２、縦桟３、およびモジュール固定金具５は、軽くて加工が容易でさびにくい材料で構成されることが望ましく、例えばアルミニウムで構成される。
【００２２】
図６は、実施の形態１におけるロープ取付金具６の斜視図である。ロープ取付け部であるロープ取付金具６は、平板の形状をした板部材である。ロープ取付金具６には、ボルト１１を通すための孔６０１が形成されている。ロープ取付金具６には、ロープ８を通過させる孔７０１が少なくとも１個形成されている。そして、縦桟３の棟側に設けられた孔３０６とロープ取付金具６の孔７０１とに通したボルト１１とナット１２によって、ロープ取付金具６が縦桟３に固定される。ロープ取付金具６は、強度および耐候性の観点からアルミニウム板で形成されることが望ましい。
【００２３】
ロープ取付金具６をいずれの縦桟３に取り付けるかは任意である。例えば、太陽電池モジュール４または太陽電池モジュール固定装置１０１の点検を実施する趣旨に鑑みて、傾斜方向と垂直な方向に沿った両端となる２箇所または中央の１箇所に設けてもよい。または、傾斜方向と垂直な方向に沿った端部となる場所と、中央となる場所を組み合わせた２箇所または３箇所に設けてもよい。
【００２４】
このように構成された太陽電池システム１００において太陽電池モジュール４または太陽電池モジュール固定装置１０１の点検方法を、図１および図７を用いて説明する。なお、図７は、実施の形態１におけるロープ取付金具６にロープ８を固定した状態を示す図である。また、図１では、屋根面１の傾斜方向に垂直な方向に沿った両端にロープ取付金具６を設けた例を示している。
【００２５】
まず、図７に示すように、ロープ取付金具６に親綱であるロープ８を固定する。ロープ８は、ロープ取付金具６の孔７０１にロープ８を通し、ロープ８の先端部に取り付けられたロープ固定金具１４を用いてロープ８の脱落を防止する。ロープ固定金具１４は、カラビナと呼ばれる専用金具を例示しているが、これに限られず、ロープ８を固定できれば他の形状でもよい。例えば、単にロープ８をロープ取付金具６に縛ってもよい。ロープ８の両端をロープ取付金具６に固定することで、図１に示すように太陽電池システム１００の棟１ａ側となる部分に、傾斜方向と垂直な方向にロープ８が架け渡される。
【００２６】
次に、ロープ８の中間部に伸縮調整器により子綱であるロープ９を取り付ける。このようにロープ取付金具６に取り付けられた親綱であるロープ８、または子綱であるロープ９に伸縮調整器を使用して安全帯を取り付けることによって、屋根面１において作業者の墜落を防止した状態で、太陽電池モジュール４または太陽電池モジュール固定装置１０１の点検を実施することができる。
【００２７】
また、ロープ８に取り付けた安全帯または伸縮調整器を移動させることにより、太陽電池システム１００のいずれの場所にも容易に移動することができ、点検範囲が限定されることがなくなる。また、ロープ８およびロープ９を取り付ける場所が屋根面１に限定されるため、親綱を地上に固定する場合のように地上での監視が不要となり人件費の削減を図ることができる。なお、伸縮調整器および安全帯はＪＩＳ  Ｔ８１６５  「安全帯」に規定されるものを使用することができる。
【００２８】
実施の形態２．
図８は、本発明の実施の形態２にかかる太陽電池システムの分解斜視図である。図９は、実施の形態２にかかる太陽電池システムの側面図である。上記実施の形態と同様の構成については、同様の符号を付して詳細な説明を省略する。本実施の形態２では、太陽電池システム１００の構成のうちロープ取付金具７を除く構成は実施の形態１と同様である。本実施の形態２では、縦桟３の棟１ａ側となる底面部３０１に孔３０６が形成されている。
【００２９】
図１０は、実施の形態２におけるロープ取付金具７の斜視図である。ロープ取付金具７は、縦桟３の底面部３０１に固定される底面固定部７ａと、底面固定部７ａから延出されて屋根面１から離れる方向に延びる延出部７ｂと、を有しており、全体としてＬ字形状となっている。延出部７ｂには、ロープ８を通過させる孔７０１が形成されている。ロープ取付金具７が縦桟３に固定された状態で、孔７０１と縦桟３の上面部３０３との距離が、太陽電池モジュール４の受光面４ａと屋根面１との距離よりも長くなる位置に孔７０１が形成されている。これにより、ロープ取付金具７の孔７０１は、太陽電池モジュール４の受光面４ａよりも上方に突出する。
【００３０】
ロープ取付金具７を設ける位置、ロープ取付金具７へのロープ８の取付けおよび太陽電池システム１００の点検方法については、実施の形態１で説明したものと同様である。本実施の形態２では、ロープ取付金具７の孔７０１が、太陽電池モジュール４の受光面４ａよりも上方に突出しているので、ロープ取付金具７に固定されたロープ８が太陽電池システム１００に干渉しにくくなる。そのため、ロープ８に取り付けた安全帯または伸縮調整器の移動が容易になり、作業者の移動も容易となる。また、ロープ８によって太陽電池モジュール４を破損させてしまうことの防止を図ることができる。
【００３１】
実施の形態３．
図１１は、本発明の実施の形態３にかかる太陽電池システムの分解斜視図である。図１２は、実施の形態３にかかる太陽電池システムの側面図である。図１３は、実施の形態３における縦桟の斜視図である。なお、上記実施の形態と同様の構成については、同様の符号を付して詳細な説明を省略する。
【００３２】
本実施の形態３では、図１３に示すように縦桟３の側面部３０５にロープ８を通過させる孔３１０が形成されている。すなわち、本実施の形態３では、孔３１０が形成された縦桟３がロープ取付け部となる。
【００３３】
これにより、実施の形態１および実施の形態２に記載される構成に比べて部品点数を少なくすることが可能となる。また、通常、傾斜方向に沿った縦桟３の長さは太陽電池モジュール４の流れ方向の長さとなる。すなわち、傾斜方向に沿った縦桟３の長さは、（傾斜方向に沿った太陽電池モジュールの長さ×傾斜方向に沿って並べられた太陽電池モジュールの数）＋（太陽電池モジュール間の長さ×(傾斜方向に沿って並べられた太陽電池モジュールの数−１)）＋ａとなる。ここで、ａは、棟１ａ側の端部および軒１ｂ側の端部にモジュール固定金具または軒カバーを取り付けるために必要な寸法であり、任意に決められる寸法である。
【００３４】
本実施の形態３の縦桟３の長さは、上述した通常の縦桟３よりもさらに棟１ａ側に延ばすことで、縦桟３の棟１ａ側の端部を太陽電池モジュール４の棟１ａ側の端部よりもさらに棟１ａ側に突出させることができる。この突出する部分に孔３１０を形成することで、ロープ８を固定または取り外しをする際に太陽電池モジュール４が邪魔になりにくく、作業性が向上する。なお、孔３１０へのロープ８の取付けおよび太陽電池システム１００の点検方法については、実施の形態１で説明したものと同様である。
【００３５】
実施の形態４．
図１４は、本発明の実施の形態４にかかる太陽電池システムの側面図である。図１５は、実施の形態４における縦桟の棟側部分を拡大した斜視図である。なお、上記実施の形態と同様の構成については、同様の符号を付して詳細な説明を省略する。
【００３６】
本実施の形態４では、縦桟３のガイドレール３０４に通したファスナー１３に、ロープ取付金具７０を固定する。ファスナー１３は、ねじ孔１３ａが形成されたねじ孔部である。ロープ取付金具７０は、ねじ孔１３ａにねじ込まれる軸部７０ｂと、軸部７０ｂと一体に形成された孔部７０ａとを有する。孔部７０ａには、ロープ８を通過させる孔７０１が形成されている。ロープ取付金具７０は、例えばアイボルトである。また、ロープ取付金具７０とファスナー１３との間にはワッシャ７０２が挟み込まれる。ワッシャ７０２の外径を縦桟３のスリット３０３ａよりも大きくすることで、ワッシャ７０２とファスナー１３とで縦桟３の上面部３０３を挟み込んで、ロープ取付金具７０を固定することができる。
【００３７】
これにより、実施の形態１から実施の形態３で例示した構成に比べて、縦桟３に形成する孔を減らすことが可能となる。したがって、縦桟３の強度の向上を図ることができる。なお、モジュール固定金具５を固定するためのファスナー１３に加えて、ロープ取付金具７０を固定するためのファスナー１３を追加で設ける必要があるため、縦桟３は、太陽電池モジュール４の棟１ａ側の端部よりもさらに棟１ａ側に延ばす必要がある。なお、ロープ取付金具７０を設ける位置、ロープ取付金具７０へのロープ８の取付けおよび太陽電池システム１００の点検方法については、実施の形態１で説明したものと同様である。
【００３８】
実施の形態５．
図１６は、本発明の実施の形態５にかかる太陽電池システムの側面図である。図１７は、実施の形態５における縦桟の棟側部分を拡大した斜視図である。なお、上記実施の形態と同様の構成については、同様の符号を付して詳細な説明を省略する。本実施の形態５では、最も棟１ａ側に設けられた太陽電池モジュール４を固定する保持金具であるモジュール固定金具５０１を、ボルトではなくロープ取付金具７０で固定している。これにより、実施の形態４の構成に比べて、ファスナー１３の数を減らすことができる。また、ワッシャも不要となる。なお、モジュール固定金具５０１は、モジュール固定金具５と異なり、太陽電池モジュールに係合する部分が軒１ｂ側にのみ設けられている。これにより、ロープ取付金具７０へのロープ８の取付けが容易になる。また、ロープ取付金具７０を設ける位置、ロープ取付金具７０へのロープ８の取付けおよび太陽電池システム１００の点検方法については、実施の形態１で説明したものと同様である。
【００３９】
実施の形態６．
図１８は、本発明の実施の形態６にかかる太陽電池システムの分解斜視図である。図１９は、実施の形態６にかかる太陽電池システムの側面図である。なお、上記実施の形態と同様の構成については、同様の符号を付して詳細な説明を省略する。本実施の形態６では、縦桟を設けずに、屋根面１に固定された屋根取付金具２０に直接太陽電池モジュール４を固定している。屋根面１の屋根材にスレート屋根材または金属瓦棒屋根材が用いられて、屋根取付金具２０の設置位置の制限が金属横葺き屋根に比べて少ない場合に、縦桟を設けずに屋根取付金具２０に太陽電池モジュール４が固定される場合が多い。
【００４０】
屋根取付金具２０は、屋根面１の傾斜方向に沿って並べて配置されている。図２０は、実施の形態６における屋根取付金具２０の斜視図である。屋根取付金具２０は、実施の形態１で例示した縦桟３の傾斜方向に沿った長さを短くした構成となっている。
【００４１】
すなわち、屋根取付金具２０は、屋根面１に接する底面部２０６を有する。底面部２０６には、木ねじ１０を通すための長孔２０７が形成されている。屋根取付金具２０は、長孔２０７に通された木ねじ１０を用いて屋根面１に固定される。
【００４２】
傾斜方向に沿って見た場合に、屋根取付金具２０には、底面部２０６の側方から太陽電池モジュール４に向けて延びる側面部２０８が設けられている。側面部２０８のうち棟１ａ側となる端部には、側面部２０８を貫通する孔２０９が形成されている。屋根取付金具２０は、底面部２０６と対向する上面部２１０を有する。上面部２１０には、傾斜方向に延びるスリット２１０ａが形成されている。上面部２１０の底面部２０６側には、上面部２１０と対向するガイドレール２１１が形成されている。上面部２１０とガイドレール２１１との間には、ナットと一体化されたファスナー１３が通される。上面部２１０には、太陽電池モジュール４が載置される。すなわち、本実施の形態６では、屋根取付金具２０が、太陽電池モジュール４を支持する支持金具となる。屋根取付金具２０の上面部２１０に載置された太陽電池モジュール４は、モジュール固定金具５を用いて固定される。固定の方法については、実施の形態１と同様であるので詳細な説明は省略する。
【００４３】
最も棟１ａ側に配置された屋根取付金具２０の棟１ａ側となる端部には、ロープ取付金具６が固定される。なお、ロープ取付金具６を設ける位置、ロープ取付金具６へのロープ８の取付けおよび太陽電池システム１００の点検方法については、実施の形態１で説明したものと同様である。
【００４４】
また、本実施の形態６で例示した屋根取付金具２０に、実施の形態２から実施の形態５で例示した構成を組み合わせてもよい。例えば、屋根取付金具２０の底面部２０６に孔を形成して、実施の形態２で例示したロープ取付金具７を固定してもよいし、実施の形態３で例示したように屋根取付金具２０の側面部２０８にロープ８を通過させる孔を形成してよい。また、実施の形態４，５で例示したように、屋根取付金具２０にアイボルトが例示される屋根取付金具２０を固定してもよい。また、ロープを通過させる孔の形状は、円形に限られず、四角形であってもよいし、他の形状であってもよい。また、太陽電池システム１００が設けられる屋根面は、住宅に限らず倉庫、工場であってもよい。
【００４５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４６】
１  屋根面、１ａ  棟、１ｂ  軒、２  屋根取付金具、３  縦桟、４  太陽電池モジュール、５，５０１  モジュール固定金具、６，７  ロープ取付金具、７ａ  底面固定部、７ｂ  延出部、８，９  ロープ、１０  木ねじ、１１  ボルト、１２  ナット、１３  ファスナー、１３ａ  ねじ孔、２０  屋根取付金具、７０  ロープ取付金具、７０ａ  孔部、７０ｂ  軸部、１００  太陽電池システム、１０１  太陽電池モジュール固定装置、１１０  住宅、２０１  ねじ孔、２０２  底面部、２０３  上面部、２０４  縦桟支持面、２０６  底面部、２０７  長孔、２０８  側面部、２０９  孔、２１０  上面部、２１０ａ  スリット、２１１  ガイドレール、３０１  底面部、３０２  長孔、３０３  上面部、３０３ａ  スリット、３０４  ガイドレール、３０５  側面部、３０６，３１０  孔、４０１  太陽電池パネル、４０２  フレーム、６０１，７０１  孔、７０２  ワッシャ。
【図１】
2019105134.tif 000003
【図２】
2019105134.tif 000004
【図３】
2019105134.tif 000005
【図４】
2019105134.tif 000006
【図５】
2019105134.tif 000007
【図６】
2019105134.tif 000008
【図７】
2019105134.tif 000009
【図８】
2019105134.tif 000010
【図９】
2019105134.tif 000011
【図１０】
2019105134.tif 000012
【図１１】
2019105134.tif 000013
【図１２】
2019105134.tif 000014
【図１３】
2019105134.tif 000015
【図１４】
2019105134.tif 000016
【図１５】
2019105134.tif 000017
【図１６】
2019105134.tif 000018
【図１７】
2019105134.tif 000019
【図１８】
2019105134.tif 000020
【図１９】
2019105134.tif 000021
【図２０】
2019105134.tif 000022